【誤訳訂正書】
【提出日】令和1年8月21日(2019.8.21)
【誤訳訂正１】
【訂正対象書類名】特許請求の範囲
【訂正対象項目名】全文
【訂正方法】変更
【訂正の内容】
【特許請求の範囲】
【請求項１】
土地の区画に設けられた１つ以上のセンサ（１４０、１４２）を含むセンサ機器（３０）と、
前記区画に設けられ、前記区画に選択的に水を散布するように構成された散水機器（２０）と、
ユーザ端末（５０）と、
前記センサ機器（３０）、前記散水機器（２０）、および前記ユーザ端末（５０）と通信するように構成されたゲートウェイ（４０）と、
を備えたシステム（１０）において、
前記散水機器（２０）は、散水ポンプ（１２０）を含み、前記散水ポンプ（１２０）は、水源（１００）を水ライン（１１０）に接続することと、前記水源（１００）を前記水ライン（１１０）から切り離すこととを交互に行うために、前記水源（１００）と前記水ライン（１１０）とに操作可能に接続されるものであり、
前記水源（１００）は、前記水源（１００）内の水量を検出するためのレベルセンサ（１０５）を備え、
前記散水ポンプ（１２０）は、
環境パラメータと操作パラメータとを検出するように構成されたポンプセンサアセンブリ（１５５）と、
各構成要素を制御するための処理回路（２０１）と、前記散水ポンプが前記ゲートウェイ（４０）と通信できるようにするためのアンテナと、を含む通信回路（１６０）とを含み、
前記処理回路（２０１）は、
検出された環境パラメータと操作パラメータとに基づいて前記散水ポンプ（１２０）に指示するように構成されており、
前記処理回路（２０１）は同様に、前記ゲートウェイ（４０）から操作モード命令を受信し、
前記ゲートウェイ（４０）から受信した前記操作モード命令に基づいて、前記散水ポンプ（１２０）の操作モードを判定し、かつ、
前記操作モードに従って動作させるために前記散水ポンプ（１２０）に指示するように構成されており、並びに、
前記処理回路（２０１）は同様に、前記ゲートウェイ（４０）から容量モード命令を受信し、
前記水源（１００）内の前記水量を示す水源センサデータを受信し、
前記ゲートウェイ（４０）からの前記容量モード命令と前記水源センサデータとに基づいて、前記散水ポンプ（１２０）が、受信した前記容量モード命令に応じて動作可能であるか否かを判定し、かつ、
前記処理回路（２０１）が、前記散水ポンプ（１２０）が動作可能であると判定した場合に、前記ゲートウェイ（４０）からの前記容量モード命令に従って当該散水ポンプ（１２０）を動作させるために前記散水ポンプ（１２０）に指示するように構成されており、
前記散水ポンプ（１２０）は、容量モードまたは操作モードの態様に応じて、前記容量モードまたは前記操作モードを調整するようにプログラムされている、ことを特徴とするシステム（１０）。
【請求項２】
前記散水ポンプの通信回路（１６０）は、検出された水位に適合させるためにプログラムされたスケジュールを自動的に調整するように構成される、請求項１に記載のシステム（１０）。
【請求項３】
ユーザが不十分な水量に応じてスケジュールを調整可能とするために、前記ユーザ端末（５０）を介して前記ユーザに不十分な水量に関する警告または警報を送信する、請求項１または２に記載のシステム（１０）。
【請求項４】
前記ゲートウェイ（４０）は、少なくとも前記散水機器（２０）と前記センサ機器（３０）とを備える第１のネットワークと、ユーザが前記ユーザ端末（５０）によって前記ゲートウェイ（４０）と無線通信することを可能にする第２のネットワークとを構成する、請求項１から３のいずれか一項に記載のシステム（１０）。
【請求項５】
前記操作パラメータは、水量、ポンプ稼動時間、または流量のいずれか１つを含む、請求項１から４のいずれか一項に記載のシステム（１０）。
【請求項６】
前記環境パラメータは、水温、ｐＨ、チョーク含有量、鉱物含有量、または総溶解固形物のいずれか１つを含む、請求項１〜５のいずれか一項に記載のシステム（１０）。
【請求項７】
前記散水ポンプ（１２０）は、水から固形物、チョーク、または鉱物を除去するためのフィルタをさらに備える、請求項６に記載のシステム（１０）。
【請求項８】
前記フィルタは、前記フィルタの目詰まり状態を検出するためのセンサを備える、請求項７に記載のシステム（１０）。
【請求項９】
前記散水ポンプ（１２０）は、加熱要素をさらに備え、前記水源（１００）から受信した水の温度が予め設定された閾値未満であることに応答して、前記加熱要素は、予め設定された温度に水を加熱するように構成される、請求項１〜８のいずれか一項に記載のシステム（１０）。
【請求項１０】
前記水源（１００）は、加熱要素（１０１）を備え、水の温度が予め設定された閾値未満であることに応答して、前記加熱要素（１０１）は、予め設定された温度に水を加熱するように構成される、請求項１〜８のいずれか一項に記載のシステム（１０）。
【請求項１１】
前記処理回路（２０１）はさらに、前記散水ポンプ（１２０）の推奨メンテナンス間隔を判定するように構成される、請求項１〜１０のいずれか一項に記載のシステム（１０）。
【請求項１２】
前記推奨メンテナンス間隔は、予め設定された期間、水量、またはポンプ稼動時間に基づく、請求項１１に記載のシステム（１０）。
【請求項１３】
前記推奨メンテナンス間隔は、ユーザによって入力された最後のメンテナンスに基づく算出された間隔である、請求項１１に記載のシステム（１０）。
【請求項１４】
前記推奨メンテナンス間隔は、第１のユーザによって入力された時間間隔または水量に基づく、請求項１１に記載のシステム（１０）。
【請求項１５】
前記処理回路（２０１）はさらに、前記ゲートウェイ（４０）または前記センサ（１４０、１４２）への接続の遮断を検出するように構成される、請求項１〜１４のいずれか一項に記載のシステム（１０）。
【請求項１６】
前記水源（１００）は、前記水源（１００）内の水量を検出するためのレベルセンサ（１０５）を備える、請求項１〜１５のいずれか一項に記載のシステム（１０）。
【請求項１７】
前記ユーザ端末（５０）は、前記散水ポンプ（１２０）の状況を表示するインターフェイス（６３０）を含む、請求項１〜１６のいずれか一項に記載のシステム（１０）。
【請求項１８】
前記ユーザ端末（５０）は、前記散水ポンプ（１２０）による水の使用量を表示するためのインターフェイス（６３０）を含む、請求項１〜１７のいずれか一項に記載のシステム（１０）。
【請求項１９】
水源（１００）を水ライン（１１０）に接続することと、前記水源（１００）を前記水ライン（１１０）から切り離すこととを交互に行うために、前記水源（１００）と前記水ライン（１１０）とに操作可能に接続され、
環境パラメータと操作パラメータとを検出するように構成されたポンプセンサアセンブリ（１５５）を備えた散水ポンプ（１２０）において、
前記水源（１００）は、前記水源（１００）内の水量を検出するためのレベルセンサ（１０５）を備え、
通信回路（１６０）は、各構成要素を制御するための処理回路（２０１）と、前記散水ポンプ（１２０）がゲートウェイ（４０）と通信できるようにするためのアンテナと、を含み、
前記処理回路（２０１）は、検出された環境パラメータと操作パラメータとに基づいて前記散水ポンプ（１２０）に指示するように構成されており、
前記処理回路（２０１）はさらに、
前記ゲートウェイ（４０）から操作モード命令を受信し、
前記ゲートウェイ（４０）から受信した前記操作モード命令に基づいて、前記散水ポンプ（１２０）の操作モードを判定し、
前記操作モードに従って動作させるために前記散水ポンプ（１２０）に指示するように構成されており、
前記処理回路（２０１）は同様に、前記ゲートウェイ（４０）から容量モード命令を受信し、
前記水源（１００）内の前記水量を示す水源センサデータを受信し、
前記ゲートウェイ（４０）からの前記容量モード命令と前記水源センサデータとに基づいて、前記散水ポンプ（１２０）が、受信した前記容量モード命令に応じて動作可能であるか否かを判定し、かつ、
前記処理回路（２０１）が、前記散水ポンプ（１２０）が動作可能であると判定した場合に、前記ゲートウェイ（４０）からの前記容量モード命令に従って当該散水ポンプ（１２０）を動作させるために前記散水ポンプ（１２０）に指示するように構成されており、
前記散水ポンプ（１２０）は、容量モードまたは操作モードの態様に応じて、前記容量モードまたは前記操作モードを調整するようにプログラムされている、ことを特徴とする散水ポンプ（１２０）。
【請求項２０】
前記散水ポンプの通信回路（１６０）は、検出された水位に適合させるためにプログラムされたスケジュールを自動的に調整するように構成される、請求項１９に記載の散水ポンプ（１２０）。
【請求項２１】
前記処理回路（２０１）は、ユーザが不十分な水量に応じてスケジュールを調整可能とするために、ユーザ端末（５０）を介して前記ユーザに不十分な水量に関する警告または警報を送信するように構成される、請求項１９または２０に記載の散水ポンプ（１２０）。
【請求項２２】
前記操作パラメータは、水量、ポンプ稼動時間、または流量のいずれか１つを含む、請求項１９から２１のいずれか一項に記載の散水ポンプ（１２０）。
【請求項２３】
前記環境パラメータは、水温、ｐＨ、チョーク含有量、鉱物含有量、または総溶解固形物のいずれか１つを含む、請求項１９〜２２のいずれか一項に記載の散水ポンプ（１２０）。
【請求項２４】
水から固形物、チョーク、または鉱物を除去するためのフィルタをさらに備える、請求項２３に記載の散水ポンプ（１２０）。
【請求項２５】
前記フィルタは、前記フィルタの目詰まり状態を検出するためのセンサを備える、請求項２４に記載の散水ポンプ（１２０）。
【請求項２６】
加熱要素をさらに備え、前記水源（１００）から受信した水の温度が予め設定された閾値未満であることに応答して、前記加熱要素は、予め設定された温度に水を加熱するように構成される、請求項１９〜２５のいずれか一項に記載の散水ポンプ（１２０）。
【請求項２７】
前記水源（１００）は、加熱要素（１０１）を備え、水の温度が予め設定された閾値未満であることに応答して、前記加熱要素（１０１）は、予め設定された温度に水を加熱するように構成される、請求項１９〜２５のいずれか一項に記載の散水ポンプ（１２０）。
【請求項２８】
前記処理回路（２０１）はさらに、前記散水ポンプ（１２０）の推奨メンテナンス間隔を判定するように構成される、請求項１９〜２７のいずれか一項に記載の散水ポンプ（１２０）。
【請求項２９】
前記推奨メンテナンス間隔は、予め設定された期間、水量、またはポンプ稼動時間に基づく、請求項２８に記載の散水ポンプ（１２０）。
【請求項３０】
前記推奨メンテナンス間隔は、ユーザによって入力された最後のメンテナンスに基づく算出された間隔である、請求項２８に記載の散水ポンプ（１２０）。
【請求項３１】
前記推奨メンテナンス間隔は、第１のユーザによって入力された時間間隔または水量に基づく、請求項２８に記載の散水ポンプ（１２０）。
【請求項３２】
前記処理回路（２０１）はさらに、前記ゲートウェイ（４０）またはセンサ（１４０、１４２）への接続の遮断を検出するように構成される、請求項１９〜３１のいずれか一項に記載の散水ポンプ（１２０）。
【誤訳訂正２】
【訂正対象書類名】明細書
【訂正対象項目名】００１８
【訂正方法】変更
【訂正の内容】
【００１８】
ゲートウェイ４０は、有線通信または無線通信によって、配置された構成要素のうち、少なくともいずれか１つと中継するように構成された変換エージェントであり得る。いくつかの実施形態において、ゲートウェイ４０は、当該ゲートウェイ４０が８６８ｍＨｚ無線リンク（例えば、第１の無線リンク）によって配置された構成要素と無線通信することを可能にする高性能アンテナを含み得る。しかしながら、他の無線リンクを他の場合に採用し得る。第１の無線リンクと、それによって接続された構成要素とは、屋外に延びる第１のネットワーク（例えば、庭園ネットワーク）、すなわち配置された構成要素ネットワークの一部であり得る。家または会社内部の構成要素と、ユーザ端末５０に延びるとともに、ユーザ端末５０との間にある構成要素とは、第２のネットワークを形成し得る。このように、ゲートウェイ４０は、第１のネットワークと第２のネットワークとの間の変換エージェントであり得る。ゲートウェイ４０は、両方のネットワークで通信するためのアグリゲーションポイントおよび通信センターであり得る。
【誤訳訂正３】
【訂正対象書類名】明細書
【訂正対象項目名】００２３
【訂正方法】変更
【訂正の内容】
【００２３】
ここで図２を参照して、水源１００は、散水ポンプ１２０によって水ライン１１０をチャージするために使用され得る。いくつかの例示的な実施形態において、水源１００は、水源１００内の水を加熱するための加熱要素１０１を含み得る。さらに、水源１００は、水源１００内の水位を検出するためのレベルセンサ１０５を含み得る。いくつかの場合では、水源１００はまた、第２の散水ポンプにより、または散水ポンプ１２０により、第２の水ラインに給水し得る。水ライン１１０は、フレキシブルな水ホースまたは庭園ホースであり得る。散水ポンプ１２０は、図１の散水機器２０の１つの構成要素を形成する配置された構成要素の１つであり得る。散水ポンプ１２０は、散水ポンプ１２０が動作可能な場合、水源１００が水ライン１１０用の加圧水供給源となるように、水源１００に操作可能に接続され得る。しかしながら、散水ポンプ１２０が動作可能ではない場合、水ライン１１０は実質的に減圧され、または少なくとも散水ポンプ１２０の最後の操作から残る残留圧力しか有しない。したがって、水源１００は、家または他の構造の典型的な加圧水供給源ではないことが理解されるべきである。代わりに、水源１００は、典型的には、リザーバまたは水槽などの、あるいは、別の加圧されていない水源であり得る。
【誤訳訂正４】
【訂正対象書類名】明細書
【訂正対象項目名】００７６
【訂正方法】変更
【訂正の内容】
【００７６】
例示的な実施形態において、ゲートウェイは、ユーザが少なくとも散水機器およびセンサ機器を含む第１のネットワークと、ユーザ端末によってゲートウェイと無線通信することを可能にする第２のネットワークとを構成する。さらなる例示的な実施形態において、操作パラメータは、水量、ポンプ稼動時間、または流量のいずれか１つを含み得る。水量、ポンプ稼動時間、または流量を検出することによって、ホース破裂などの事象が認識され得る。環境パラメータは、水温、ｐＨ、チョーク含有量、鉱物含有量、または総溶解固形物のいずれか１つを含み得る。水の総溶解固形物、チョーク含有量、または鉱物含有量を検出することにより、水の濁りも検出され得る。代替的にまたは追加的に、水温を検出することにより、散水ポンプは、散水ポンプへの損傷を防止するためにユーザに凍結状態を警告することが可能にされ得る。
【誤訳訂正５】
【訂正対象書類名】明細書
【訂正対象項目名】００８０
【訂正方法】変更
【訂正の内容】
【００８０】
処理回路はさらに、ゲートウェイから操作モード命令を受信し、ゲートウェイから受信した操作モード命令に基づいて散水ポンプの操作モードを判定し、操作モードにしたがって動作させるために散水ポンプに指示するように構成され得る。さらに別の例示的な実施形態において、処理回路はさらに、ゲートウェイから容量モード命令を受信し、水源内の水の量を示す水源センサデータを受信し、ゲートウェイからの容量モード命令および水源センサデータに基づいて、散水ポンプが受信した容量モード命令に応じて動作可能であるか否かを判定し、処理回路が、散水ポンプが動作可能であると判定した場合、容量モード命令に従って動作させるために散水ポンプに指示するように構成され得る。いくつかの例示的な実施形態において、ユーザ端末は、散水ポンプのステータスを表示するインターフェイスを含み得る。さらなる例示的な実施形態において、ユーザ端末は、散水ポンプによる水の使用量を表示するためのインターフェイスを含み得る。